【事件の表示】
　特許第２６８２９５７号「引戸の下枠構造」の請求項１ないし３に係る特許に対する特許異議の申立てについて、次のとおり決定する。
【結論】
　訂正を認める。
　特許第２６８２９５７号の請求項１ないし２に係る特許を維持する。
【理由】
一　手続きの経緯
　本件特許第２６８２９５７号発明は、平成６年８月１７日（優先権主張平成５年１１月８日）に特許出願され、平成９年８月８日にその特許の設定登録がなされ、その後、立山アルミニウム工業株式会社及び三協アルミニウム工業株式会社より特許異議の申立てがなされ、次いで、取消理由通知がなされ、その指定期間内である平成１１年９月２２日に訂正請求がなされたものである。なお、平成１１年１月１１日付けの訂正請求は、取り下げられている。
二　訂正の適否についての判断
１　訂正請求の概要
　上記訂正請求の趣旨は、特許第２６８２９５７号の明細書（以下、特許明細書という）を訂正請求書に添付した訂正明細書のとおり訂正することを求めることである。
　訂正の要旨は以下のとおりである。
（ａ）訂正事項１
　特許請求の範囲の減縮を目的として、特許請求の範囲の請求項１の記載を、
「浴室および更衣室の各床面はほぼ一平面に沿って延び、浴室および更衣室間には、複数枚の障子と、この障子を開閉自在に保持する枠体とが設けられ、この枠体の下枠が各床面間に配置され、前記下枠の表面が前記一平面とほぼ同一平面を形成する引戸の下枠構造であって、前記下枠は、下枠本体と、この下枠本体に着脱自在に連結される少なくとも１つの下枠補助部材とを有し、各障子の下部には、下戸車と、下戸車よりも浴室側で下戸車よりも下方に立下がる立下がり部とがそれぞれ設けられ、各立下がり部は、下枠補助部材にそれぞれ嵌まり込んで案内され、下枠補助部材には、その下枠補助部材の最上面が、前記一平面に沿って形成され、この最上面が、下戸車を案内して支持する案内レールとなっており、下枠補助部材には、前記一平面に沿って、案内レールよりも更衣室側に、障子の開閉方向に延びる滑り防止部材が粗面を上方に臨ませて取付けられ、滑り防止部材は、可撓性および弾発性を有し、前記粗面は、前記開閉方向に沿って延びる複数の凸部および前記凸部間に形成される複数の凹溝が、前記開閉方向と垂直な方向に交互に設けられて、形成され、前記下枠本体は、上部が前記一平面よりも下方に設けられる基部と、この基部の更衣室寄りの一側部から上方に屈曲して連なり、最上面が前記一平面とほぼ同一平面を形成する立上がり部とを有し、前記下枠補助部材は、前記下枠本体の基部の上部に前記浴室側で装着される下フランジと、この下フランジにほぼ直角に連なり、水抜き孔が形成されるウェブと、このウェブにほぼ直角に連なり、前記最上面を形成する上フランジとを有し、下枠補助部材が、更衣室側から浴室側に配置され、下フランジには、更衣室側に延びる第１係合片が形成され、基部には、浴室側から第１係合片が基部の上部との間で嵌まり込む第２係合片が形成され、各障子の立下がり部は、下枠補助部材に嵌まり込むだけでなく、さらに、前記立上がり部と最も更衣室側の下枠補助部材との間に、嵌まり込んで案内され、前記立上がり部の最上面にも、下戸車を案内して支持する案内レールが形成されることを特徴とする引戸の下枠構造。」
と訂正する。
（ｂ）訂正事項２
　特許請求の範囲において、請求項２を削除し、もとの請求項３の項番を繰り上げ請求項２とするとともに、特許請求の範囲の減縮を目的として、その記載を、
「前記下枠本体の立上がり部の前記最上面の案内レールよりも更衣室側にも、前記一平面に沿って、前記障子の開閉方向に延びるもう１つの滑り防止部材が粗面を上方に臨ませて取付けられていることを特徴とする請求項１記載の引戸の下枠構造。」
と訂正する。
（ｃ）訂正事項３
　上記訂正事項１及び２による特許請求の範囲の減縮に伴い生じる、特許請求の範囲の記載と発明の詳細な説明の記載との不整合を回避するために、明りょうでない記載の釈明を目的として、
▲１▼明細書段落【０００６】の記載を、「【課題を解決するための手段】本発明は、浴室および更衣室の各床面はほぼ一平面に沿って延び、浴室および更衣室間には、複数枚の障子と、この障子を開閉自在に保持する枠体とが設けられ、この枠体の下枠が各床面間に配置され、前記下枠の表面が前記一平面とほぼ同一平面を形成する引戸の下枠構造であって、前記下枠は、下枠本体と、この下枠本体に着脱自在に連結される少なくとも１つの下枠補助部材とを有し、各障子の下部には、下戸車と、下戸車よりも浴室側で下戸車よりも下方に立下がる立下がり部とがそれぞれ設けられ、各立下がり部は、下枠補助部材にそれぞれ嵌まり込んで案内され、下枠補助部材には、その下枠補助部材の最上面が、前記一平面に沿って形成され、この最上面が、下戸車を案内して支持する案内レールとなっており、下枠補助部材には、前記一平面に沿って、案内レールよりも更衣室側に、障子の開閉方向に延びる滑り防止部材が粗面を上方に臨ませて取付けられ、滑り防止部材は、可撓性および弾発性を有し、前記粗面は、前記開閉方向に沿って延びる複数の凸部および前記凸部間に形成される複数の凹溝が、前記開閉方向と垂直な方向に交互に設けられて、形成され、前記下枠本体は、上部が前記一平面よりも下方に設けられる基部と、この基部の更衣室寄りの一側部から上方に屈曲して連なり、最上面が前記一平面とほぼ同一平面を形成する立上がり部とを有し、前記下枠補助部材は、前記下枠本体の基部の上部に前記浴室側で装着される下フランジと、この下フランジにほぼ直角に連なり、水抜き孔が形成されるウェブと、このウェブにほぼ直角に連なり、前記最上面を形成する上フランジとを有し、下枠補助部材が、更衣室側から浴室側に配置され、下フランジには、更衣室側に延びる第１係合片が形成され、基部には、浴室側から第１係合片が基部の上部との間で嵌まり込む第２係合片が形成され、各障子の立下がり部は、下枠補助部材に嵌まり込むだけでなく、さらに、前記立上がり部と最も更衣室側の下枠補助部材との間に、嵌まり込んで案内され、前記立上がり部の最上面にも、下戸車を案内して支持する案内レールが形成されることを特徴とする引戸の下枠構造である。また本発明は、前記下枠本体の立上がり部の前記最上面の案内レールよりも更衣室側にも、前記一平面に沿って、前記障子の開閉方向に延びるもう１つの滑り防止部材が粗面を上方に臨ませて取付けられていることを特徴とする。」と、
▲２▼同段落【００１１】（特許公報第５欄第１３行）において、「本発明の一実施例の」との記載を、「本発明の前提となる」と、
▲３▼同段落【００２６】（同第８欄第４６行）の「本発明の他の実施例」との記載を、「本発明の他の前提となる構成」と、
▲４▼同【図面の簡単な説明】の項目の【図１】の記載を、「本発明の前提となる下枠３付近を拡大して示す鉛直断面図である。」と、
▲５▼同【図面の簡単な説明】の項目の【図６】の記載を、「本発明の他の前提となる下枠３ａ付近を拡大して示す鉛直断面図である。」と、
訂正する。
（ｄ）訂正事項４
　誤記の訂正を目的として、
▲１▼明細書段落【００２４】（特許公報第７欄第４８行）の「浴室４側」との記載を、「更衣室５側」と、
▲２▼同段落【００２８】（同第９欄第３２行）の「室外１０５」との記載を、「室内１０５」と、
▲３▼同段落【００３０】（同第９欄第４５及び４６行）の「室外１０５」との記載を、「室内１０５」と、
▲４▼同段落【００３２】（同第１０欄第３１行）の「室外１０５」との記載を、「室外１０４」と、訂正する。
２　訂正の目的の適否、及び新規事項・拡張・変更の存否
　上記訂正事項１は、請求項１に記載の「第１室」及び「第２室」をその下位概念である「浴室」及び「更衣室」に限定するとともに、「障子」、「下枠本体」、「下枠補助部材」及び「滑り防止部材」の構成を限定したものであるから、特許請求の範囲の減縮に該当し、
　上記訂正事項２は、特許請求の範囲において、請求項２を削除し、もとの請求項３の項番を繰り上げ請求項２とするとともに、その記載の「滑り防止部材」の構成を限定したものであるから、特許請求の範囲の減縮に該当し、
　上記訂正事項３は、上記訂正事項１による特許請求の範囲の減縮に伴い生じる、特許請求の範囲の記載と発明の詳細な説明の記載との不整合を回避するために行う、明りょうでない記載の釈明に該当し、
　上記訂正事項４は、誤記の訂正に該当するものということができる。
　そして、上記訂正により請求項１及び２に追加された事項の、「浴室」及び「更衣室」は、特許明細書段落【０００７】に、「障子」に関する構成は、同段落【０００８】、【００１１】、【００２０】及び【００３８】に、「下枠本体」に関する構成は、同段落【００１５】〜【００１８】に、「下枠補助部材」に関する構成は、同段落【００１５】及び【００２２】に、「滑り防止部材」に関する構成は、同段落【００３８】にそれぞれ記載されているから、訂正事項１〜４で訂正した事項は、願書に添付した明細書及び図面に記載された事項の範囲内の訂正であり、また、実質的に特許請求の範囲を拡張又は変更するものではない。
３　独立特許要件の判断
（１）訂正後の発明
　訂正後の請求項１及び２に係る発明は、上記訂正請求により提出された全文訂正明細書（以下、「訂正明細書」という。）の特許請求の範囲の請求項１及び２に記載された次のとおりのものと認められる。
　【請求項１】
「浴室および更衣室の各床面はほぼ一平面に沿って延び、浴室および更衣室間には、複数枚の障子と、この障子を開閉自在に保持する枠体とが設けられ、この枠体の下枠が各床面間に配置され、前記下枠の表面が前記一平面とほぼ同一平面を形成する引戸の下枠構造であって、前記下枠は、下枠本体と、この下枠本体に着脱自在に連結される少なくとも１つの下枠補助部材とを有し、各障子の下部には、下戸車と、下戸車よりも浴室側で下戸車よりも下方に立下がる立下がり部とがそれぞれ設けられ、各立下がり部は、下枠補助部材にそれぞれ嵌まり込んで案内され、下枠補助部材には、その下枠補助部材の最上面が、前記一平面に沿って形成され、この最上面が、下戸車を案内して支持する案内レールとなっており、下枠補助部材には、前記一平面に沿って、案内レールよりも更衣室側に、障子の開閉方向に延びる滑り防止部材が粗面を上方に臨ませて取付けられ、滑り防止部材は、可撓性および弾発性を有し、前記粗面は、前記開閉方向に沿って延びる複数の凸部および前記凸部間に形成される複数の凹溝が、前記開閉方向と垂直な方向に交互に設けられて、形成され、前記下枠本体は、上部が前記一平面よりも下方に設けられる基部と、この基部の更衣室寄りの一側部から上方に屈曲して連なり、最上面が前記一平面とほぼ同一平面を形成する立上がり部とを有し、前記下枠補助部材は、前記下枠本体の基部の上部に前記浴室側で装着される下フランジと、この下フランジにほぼ直角に連なり、水抜き孔が形成されるウェブと、このウェブにほぼ直角に連なり、前記最上面を形成する上フランジとを有し、下枠補助部材が、更衣室側から浴室側に配置され、下フランジには、更衣室側に延びる第１係合片が形成され、基部には、浴室側から第１係合片が基部の上部との間で嵌まり込む第２係合片が形成され、各障子の立下がり部は、下枠補助部材に嵌まり込むだけでなく、さらに、前記立上がり部と最も更衣室側の下枠補助部材との間に、嵌まり込んで案内され、前記立上がり部の最上面にも、下戸車を案内して支持する案内レールが形成されることを特徴とする引戸の下枠構造。」（以下、「本件発明１」という。）
　【請求項２】
「前記下枠本体の立上がり部の前記最上面の案内レールよりも更衣室側にも、前記一平面に沿って、前記障子の開閉方向に延びるもう１つの滑り防止部材が粗面を上方に臨ませて取付けられていることを特徴とする請求項１記載の引戸の下枠構造。」（以下、「本件発明２」という。）
（２）刊行物記載の発明
〈刊行物１〉
　当審が通知した取消理由で引用した、本件特許発明の出願前に頒布された刊行物１（実願平１−１５２９５５号（実開平３−９０７７８号）のマイクロフィルム）には、明細書「実用新案登録請求の範囲」欄及び第４頁第８行〜第１２頁第９行並びに第３図の記載からみて、
「浴室及び更衣室の各床面はほぼ一平面に沿って延び、浴室及び更衣室間には、障子と、この障子を開閉自在に保持する枠体とが設けられ、この枠体の下枠が各床面間に配設され、前記下枠の表面が前記一平面とほぼ同一平面を形成する引戸の下枠構造であって、前記下枠は、下枠本体と、この下枠本体に着脱自在な補助部材とを有し、各障子の下部には、下戸車と、下戸車よりも浴室側に立下がり部がそれぞれ設けられ、前記下枠本体は、上部が前記一平面より下方に設けられる基部５０は底板５４、連結部分６５及び突出部分６７からなり、上記連結部分６５の更衣室寄りの一側部から上方に屈曲して連なり、最上部が前記一平面とほぼ同一平面を形成する基部５０の側板５５及び上板５３とを有し、前記補助部材は、前記下枠本体の突出部分６７の上部に前記更衣室側で装着される平坦部分８０と、この平坦部分８０にほぼ直角に連なる立上り部７９と、この立上り部７９にほぼ直角に連なり、最上面が前記一平面とほぼ同一平面を形成する上面７７とを有し、前記基部５０の上板５３の最上面および前記補助部材の上面７７の最上面が前記障子を支持する引戸の下枠構造。」
の発明が記載されているものと認められる。
　また、刊行物１には、明細書第２３頁第１〜３行及び第１４図の記載からみて、他の実施例として、「補助部材１５２及び下枠本体１５０の立上り部分に、水抜き孔１５６，１５７，１５８を形成した」構成が記載されているものと認められる。
〈刊行物２〉
　当審が通知した取消理由で引用した、本件特許発明の出願前に頒布された刊行物２（実願昭６２−１４７３４５号（実開昭６４−５３３６５号）のマイクロフィルム）には、明細書第５頁第１２行〜第６頁第９行及び第２図の記載からみて、「下枠の上面に滑り止め材を取付けた浴室出入口の敷居部。」
が記載されているものと認められる。
〈刊行物３〉
　当審が通知した取消理由で引用した、本件特許発明の出願前に頒布された刊行物３（特開平４−２３５８８６号公報）には、第２頁第２欄第２９〜４３行及び第１〜３図の記載からみて、
「敷居部に設けられる、表面が凹凸形状をした合成樹脂製のすべり止め。」
が記載されているものと認められる。
（３）対比・判断
〈請求項１に係る発明について〉
　上記刊行物１には、本件発明１の下枠構造と同様な構成である、「浴室および更衣室の各床面はほぼ一平面に沿って延び、浴室および更衣室間には、複数枚の障子と、この障子を開閉自在に保持する枠体とが設けられ、この枠体の下枠が各床面間に配置され、前記下枠の表面が前記一平面とほぼ同一平面を形成する引戸の下枠構造であって、前記下枠は、下枠本体と、この下枠本体に着脱自在な補助部材とを有する下枠構造」が記載されているが、その具体的構成である「下枠補助部材が、更衣室側から浴室側に配置され、（下枠補助部材の）下フランジには、更衣室側に延びる第１係合片が形成され、（下枠本体の）基部には、浴室側から第１係合片が基部の上部との間で嵌まり込む第２係合片が形成され」る構成が記載されておらず、その示唆するところもない。また、刊行物１には、「滑り防止部材」が記載されておらず、その示唆するところもない。
　また、上記刊行物２には、浴室出入口の敷居部の下枠の上面に、滑り止め材（本件発明１の「滑り防止部材」に相当する。）を取付けることが記載されているが、上記下枠構造の具体的構成が記載されておらず、その示唆するところもない。
　さらに、上記刊行物３には、表面が凹凸形状をした合成樹脂製のすべり止め（本件発明１の「滑り防止部材」に相当する。）が記載されているが、上記下枠構造の具体的構成が記載されておらず、その示唆するところもない。
　そして、本件発明１は、上記構成を有することにより、「下枠補助部材の取付作業を容易にすることができる。」（平成１１年９月２２日付け特許異議意見書第３頁第２３及び２４行を参照）という格別顕著な効果を奏するものである。
　したがって、本件発明１は、上記刊行物１〜３に記載された発明に基いて当業者が容易に発明をすることができたものとはいえない。
　また、他に本件発明１が独立して特許を受けることができない理由を発見しない。
　よって、本件発明１は特許出願の際独立して特許を受けることができる発明ということができる。
〈請求項２に係る発明について〉
　本件訂正後の請求項２に係る発明は、同請求項１に係る発明を引用しているものであるから、上記〈請求項１に係る発明について〉でしたと同様の対比、判断により、訂正後の請求項２に係る発明は、上記刊行物１〜３に記載された発明に基いて当業者が容易に発明をすることができたものとはいえない。
　また、他に訂正後の請求項２に係る発明が独立して特許を受けることができない理由を発見しない。
　よって、訂正後の請求項２に係る発明は特許出願の際独立して特許を受けることができる発明ということができる。
４　むすび
　以上のとおりであるから、上記訂正請求は、特許法等の一部を改正する法律（平成６年法律第１１６号）附則第６条第１項の規定によりなお従前の例によるとされる特許法第１２０条の４第２項及び同条第３項で準用する第１２６条第２〜４項の規定に適合するので、当該訂正を認める。
三　特許異議の申立てについての判断
１　本件発明
　本件の訂正後の請求項１及び２に係る発明は、訂正明細書の特許請求の範囲の請求項１及び２に記載された上記のとおりのもの（上記「二　訂正の適否についての判断　３　独立特許要件の判断　（１）訂正後の発明」の項を参照。）と認められる。
２　異議申立ての理由の概要
　異議申立人の立山アルミニウム工業株式会社及び三協アルミニウム工業株式会社は、
　特許明細書の特許請求の範囲の請求項１〜３に係る発明は、本件特許発明の出願前に頒布された甲第１号証（特開平４−３６０９８２号公報）、甲第２号証（実願平１−１５２９５５号（実開平３−９０７７８号）のマイクロフィルム、上記刊行物１）、甲第３号証（実願昭６２−１４７３４５号（実開昭６４−５３３６５号）のマイクロフィルム、上記刊行物２）、及び甲第４号証（特開平４−３３６１９１号公報）に記載された発明に基いて当業者が容易に発明をすることができたものであり、特許法第２９条第２項の規定により特許を受けることができないものであるから、その特許を取り消すべき旨を主張している。
３　甲各号証記載の発明
（１）甲第１号証
　甲第１号証には、公報第２頁第２欄第３１行〜第３頁第３欄２４行、及び第１〜４図の記載からみて、
「脱衣室及び浴室の各床面はほぼ一平面に沿って延び、脱衣室及び浴室間には、吊り戸と、この吊り戸を開閉自在に保持する枠体とが設けられ、この枠体の敷居部が各床面間に配設され、前記敷居部の表面が前記一平面とほぼ同一平面を形成するフラット床出入口構造であって、前記敷居部は、すのこ受台と、このすのこ受台に着脱自在なすのこレール部材とを有し、レール部材の頂部を粗面として滑り止め機能を持たせたフラット床出入口構造。」
の発明が記載されているものと認められる。
（２）甲第２号証（刊行物１）
　甲第２号証（刊行物１）には、上記「二　訂正の適否についての判断　３　独立特許要件の判断　（２）刊行物記載の発明」の項に記載された発明が記載されている。
（３）甲第３号証（刊行物２）
　甲第３号証（刊行物２）には、上記「二　訂正の適否についての判断　３　独立特許要件の判断　（２）刊行物記載の発明」の項に記載された発明が記載されている。
（４）甲第４号証
　甲第４号証には、公報第２頁第１欄第４９行〜第２欄２４行、及び第２頁第２欄第３４〜４３行、並びに第１〜６図の記載からみて、
「脱衣室及び浴室の各床面はほぼ一平面に沿って延び、脱衣室及び浴室間には、引戸と、この引戸を開閉自在に保持する枠体とが設けられ、この枠体の敷居部が各床面間に配設され、前記敷居部の表面が前記一平面とほぼ同一平面を形成する浴室出入口部構造であって、前記敷居部は、取付部材上にすのこレール部材を載置固定して構成し、すのこレール部材には合成ゴム等の防音部を有する、浴室出入口部構造。」
の発明が記載されているものと認められる。
４　当審の判断
（１）請求項１に係る発明について
　上記甲第１号証には、請求項１に係る発明（以下、「本件発明１」という。）の下枠構造と似たような構成である、「脱衣室（本件発明１の「更衣室」に相当する。）及び浴室の各床面はほぼ一平面に沿って延び、脱衣室及び浴室間には、吊り戸と、この吊り戸を開閉自在に保持する枠体とが設けられ、この枠体の敷居部（同「下枠」に相当する。）が各床面間に配設され、前記敷居部の表面が前記一平面とほぼ同一平面を形成するフラット床出入口構造であって、前記敷居部は、すのこ受台（同「下枠本体」に相当する。）と、このすのこ受台に着脱自在なすのこレール部材（同「下枠補助部材」に相当する。）とを有し、レール部材の頂部を粗面として滑り止め機能を持たせたフラット床出入口構造。」が記載されているが、その具体的構成が異なり、とくに「下枠補助部材が、更衣室側から浴室側に配置され、（下枠補助部材の）下フランジには、更衣室側に延びる第１係合片が形成され、（下枠本体の）基部には、浴室側から第１係合片が基部の上部との間で嵌まり込む第２係合片が形成され」る構成が記載されておらず、その示唆するところもない。
　また、上記甲第２〜４号証にも、上記下枠補助部材の具体的構成が記載されておらず、その示唆するところもない。
　そして、本件発明１は、上記構成を有することにより、「下枠補助部材の取付作業を容易にすることができる。」（平成１１年９月２２日付け特許異議意見書第３頁第２３及び２４行を参照）という格別顕著な効果を奏するものである。
　したがって、本件発明１は、甲第１〜４号証に記載された発明に基いて当業者が容易に発明をすることができたものとはいえない。
（２）請求項２に係る発明について
　本件訂正後の請求項２に係る発明は、同請求項１に係る発明を引用しているものであるから、上記「（１）請求項１に係る発明について」の項でしたと同様の対比、判断により、訂正後の請求項２に係る発明は、上記甲第１〜４号証に記載された発明に基いて当業者が容易に発明をすることができたものとはいえない。
四　むすび
　以上のとおりであるから、特許異議申立人の主張する理由及び提出した証拠方法によっては、本件訂正後の請求項１及び２に係る発明の特許を取り消すことはできない。
　また、他に上記本件訂正後の請求項１及び２に係る発明の特許を取り消すべき理由を発見しない。
　よって、結論のとおり決定する。
【異議決定日】
平成１１年１０月２６日（１９９９．１０．２６）
【訂正の要旨】
（訂正の要旨）
１．訂正事項１
　特許請求の範囲の減縮を目的として、特許請求の範囲の請求項１の記載を、
「浴室および更衣室の各床面はほぼ一平面に沿って延び、浴室および更衣室間には、複数枚の障子と、この障子を開閉自在に保持する枠体とが設けられ、この枠体の下枠が各床面間に配置され、前記下枠の表面が前記一平面とほぼ同一平面を形成する引戸の下枠構造であって、前記下枠は、下枠本体と、この下枠本体に着脱自在に連結される少なくとも１つの下枠補助部材とを有し、各障子の下部には、下戸車と、下戸車よりも浴室側で下戸車よりも下方に立下がる立下がり部とがそれぞれ設けられ、各立下がり部は、下枠補助部材にそれぞれ嵌まり込んで案内され、下枠補助部材には、その下枠補助部材の最上面が、前記一平面に沿って形成され、この最上面が、下戸車を案内して支持する案内レールとなっており、下枠補助部材には、前記一平面に沿って、案内レールよりも更衣室側に、障子の開閉方向に延びる滑り防止部材が粗面を上方に臨ませて取付けられ、滑り防止部材は、可撓性および弾発性を有し、前記粗面は、前記開閉方向に沿って延びる複数の凸部および前記凸部間に形成される複数の凹溝が、前記開閉方向と垂直な方向に交互に設けられて、形成され、前記下枠本体は、上部が前記一平面よりも下方に設けられる基部と、この基部の更衣室寄りの一側部から上方に屈曲して連なり、最上面が前記一平面とほぼ同一平面を形成する立上がり部とを有し、前記下枠補助部材は、前記下枠本体の基部の上部に前記浴室側で装着される下フランジと、この下フランジにほぼ直角に連なり、水抜き孔が形成されるウェブと、このウェブにほぼ直角に連なり、前記最上面を形成する上フランジとを有し、下枠補助部材が、更衣室側から浴室側に配置され、下フランジには、更衣室側に延びる第１係合片が形成され、基部には、浴室側から第１係合片が基部の上部との間で嵌まり込む第２係合片が形成され、各障子の立下がり部は、下枠補助部材に嵌まり込むだけでなく、さらに、前記立上がり部と最も更衣室側の下枠補助部材との間に、嵌まり込んで案内され、前記立上がり部の最上面にも、下戸車を案内して支持する案内レールが形成されることを特徴とする引戸の下枠構造。」
と訂正する。
２．訂正事項２
　特許請求の範囲において、請求項２を削除し、もとの請求項３の項番を繰り上げ請求項２とするとともに、特許請求の範囲の減縮を目的として、その記載を、
「前記下枠本体の立上がり部の前記最上面の案内レールよりも更衣室側にも、前記一平面に沿って、前記障子の開閉方向に延びるもう１つの滑り防止部材が粗面を上方に臨ませて取付けられていることを特徴とする請求項１記載の引戸の下枠構造。」
と訂正する。
３．訂正事項３
　上記訂正事項１による特許請求の範囲の減縮に伴い生じる、特許請求の範囲の記載と発明の詳細な説明の記載との不整合を回避するために、明りょうでない記載の釈明を目的として、
▲１▼明細書段落【０００６】の記載を、「【課題を解決するための手段】本発明は、浴室および更衣室の各床面はほぼ一平面に沿って延び、浴室および更衣室間には、複数枚の障子と、この障子を開閉自在に保持する枠体とが設けられ、この枠体の下枠が各床面間に配置され、前記下枠の表面が前記一平面とほぼ同一平面を形成する引戸の下枠構造であって、前記下枠は、下枠本体と、この下枠本体に着脱自在に連結される少なくとも１つの下枠補助部材とを有し、各障子の下部には、下戸車と、下戸車よりも浴室側で下戸車よりも下方に立下がる立下がり部とがそれぞれ設けられ、各立下がり部は、下枠補助部材にそれぞれ嵌まり込んで案内され、下枠補助部材には、その下枠補助部材の最上面が、前記一平面に沿って形成され、この最上面が、下戸車を案内して支持する案内レールとなっており、下枠補助部材には、前記一平面に沿って、案内レールよりも更衣室側に、障子の開閉方向に延びる滑り防止部材が粗面を上方に臨ませて取付けられ、滑り防止部材は、可撓性および弾発性を有し、前記粗面は、前記開閉方向に沿って延びる複数の凸部および前記凸部間に形成される複数の凹溝が、前記開閉方向と垂直な方向に交互に設けられて、形成され、前記下枠本体は、上部が前記一平面よりも下方に設けられる基部と、この基部の更衣室寄りの一側部から上方に屈曲して連なり、最上面が前記一平面とほぼ同一平面を形成する立上がり部とを有し、前記下枠補助部材は、前記下枠本体の基部の上部に前記浴室側で装着される下フランジと、この下フランジにほぼ直角に連なり、水抜き孔が形成されるウェブと、このウェブにほぼ直角に連なり、前記最上面を形成する上フランジとを有し、下枠補助部材が、更衣室側から浴室側に配置され、下フランジには、更衣室側に延びる第１係合片が形成され、基部には、浴室側から第１係合片が基部の上部との間で嵌まり込む第２係合片が形成され、各障子の立下がり部は、下枠補助部材に嵌まり込むだけでなく、さらに、前記立上がり部と最も更衣室側の下枠補助部材との間に、嵌まり込んで案内され、前記立上がり部の最上面にも、下戸車を案内して支持する案内レールが形成されることを特徴とする引戸の下枠構造である。また本発明は、前記下枠本体の立上がり部の前記最上面の案内レールよりも更衣室側にも、前記一平面に沿って、前記障子の開閉方向に延びるもう１つの滑り防止部材が粗面を上方に臨ませて取付けられていることを特徴とする。」と、
▲２▼同段落【００１１】（特許公報第５欄第１３行）において、「本発明の一実施例の」との記載を、「本発明の前提となる」と、
▲３▼同段落【００２６】（同第８欄第４６行）の「本発明の他の実施例」との記載を、「本発明の他の前提となる構成」と、
▲４▼同【図面の簡単な説明】の項目の【図１】の記載を、「本発明の前提となる下枠３付近を拡大して示す鉛直断面図である。」と、
▲５▼同【図面の簡単な説明】の項目の【図６】の記載を、「本発明の他の前提となる下枠３ａ付近を拡大して示す鉛直断面図である。」と、
訂正する。
４．訂正事項４
　誤記の訂正を目的として、
▲１▼明細書段落【００２４】（特許公報第７欄第４８行）の「浴室４側」との記載を、「更衣室５側」と、
▲２▼同段落【００２８】（同第９欄第３２行）の「室外１０５」との記載を、「室内１０５」と、
▲３▼同段落【００３０】（同第９欄第４５及び４６行）の「室外１０５」との記載を、「室内１０５」と、
▲４▼同段落【００３２】（同第１０欄第３１行）の「室外１０５」との記載を、「室外１０４」と、
訂正する。
（５４）【発明の名称】
引戸の下枠構造
（５７）【特許請求の範囲】
　【請求項１】
浴室
更衣室
浴室
更衣室間
複数枚の
　前記下枠は、下枠本体と、この下枠本体に着脱自在に連結される少なくとも１つの下枠補助部材とを有し、
　
各障子の下部には、下戸車と、下戸車よりも浴室側で下戸車よりも下方に立下がる立下がり部とがそれぞれ設けられ、
　
各立下がり部は、下枠補助部材にそれぞれ嵌まり込んで案内され、
　
下枠補助部材には、その下枠補助部材の最上面が、前記一平面に沿って形成され、
　
この最上面が、下戸車を案内して支持する案内レールとなっており、
　下枠補助部材には、前記一平面に沿って、
案内レールよりも更衣室側に、
、
　
滑り防止部材は、可撓性および弾発性を有し、
　
前記粗面は、前記開閉方向に沿って延びる複数の凸部および前記凸部間に形成される複数の凹溝が、前記開閉方向と垂直な方向に交互に設けられて、形成され、
　
前記下枠本体は、上部が前記一平面よりも下方に設けられる基部と、この基部の更衣室寄りの一側部から上方に屈曲して連なり、最上面が前記一平面とほぼ同一平面を形成する立上がり部とを有し、
　
前記下枠補助部材は、
　
前記下枠本体の基部の上部に前記浴室側で装着される下フランジと、この下フランジにほぼ直角に連なり、水抜き孔が形成されるウェブと、このウェブにほぼ直角に連なり、前記最上面を形成する上フランジとを有し、
　
下枠補助部材が、更衣室側から浴室側に配置され、
　
下フランジには、更衣室側に延びる第１係合片が形成され、
　
基部には、浴室側から第１係合片が基部の上部との間で嵌まり込む第２係合片が形成され、
　
各障子の立下がり部は、
　
下枠補助部材に嵌まり込むだけでなく、さらに、
　
前記立上がり部と最も更衣室側の下枠補助部材との間に、嵌まり込んで案内され、
　
前記立上がり部の最上面にも、下戸車を案内して支持する案内レールが形成される
　【請求項２】前記下枠本体の立上がり部の
前記最上面の案内レールよりも更衣室側にも、前記一平面に沿って、前記障子の開閉方向に延びるもう１つの滑り防止部材が粗面を上方に臨ませて取付けられている
１
【発明の詳細な説明】
　　　【０００１】
　【産業上の利用分野】
　本発明は、片引戸および引違い戸などの引戸の下枠構造に関する。
　　　【０００２】
　【従来の技術】
　たとえば浴室と更衣室との間には、仕切り壁が設けられ、この仕切り壁には複数の障子と、これらの障子を保持する枠体とによって構成される連動引戸が設けられる。前記枠体に建込まれた複数の障子のうち、浴室側または更衣室側に配置される１枚の障子を開閉動作させることによって残余の障子を連動させて大きな間口で開口する通路を形成して、身体障害者および老人などが容易にかつ安全に浴室と更衣室との間を通過し得るように構成されており、このような先行技術は、たとえば実開平３−９０７７８に開示されている。
　　　【０００３】
　この先行技術では、身体障害者および老人などが更衣室から浴室へ通過するとき、および浴室から更衣室へ通過するときに、前記枠体の一部を構成する下枠につまずいたり、車椅子などの通行の妨げになったりすることを防止するために、前記下枠の上面をほぼ平坦状に形成している。また枠体への各障子の組立て作業を容易化するために、前記下枠を、下枠本体と、この下枠本体に着脱可能な補助部材とによって構成し、この補助部材を下枠本体から外した状態で各障子を枠体に建込むことができるように構成している。
　　　【０００４】
　このような先行技術では、各障子を開いた状態でなるべく大きな開口を得るために３枚を超える多数枚の障子を設ける場合には、多数枚の障子を保持する枠体の構成を障子の枚数に応じて変えなければならず、部材の種類が多くなってしまうという問題がある。しかも１つの補助部材によって複数の障子が支持されていると、下枠の掃除などを行うために一度に前記複数の障子を外さなければならなくなり、複数の作業者によって各障子を支えておく必要がある。またこのようにして外した複数の障子を再び建込む際にも複数の作業者を必要とし、１人の作業者によって障子の着脱作業を行うことが困難であるという問題がある。
　　　【０００５】
　【発明が解決しようとする課題】
　したがって本発明の目的は、簡単な構成で、障子の取付けおよび取外し作業が容易であり、第１室および第２室間を円滑にかつ安全に通行することができる引戸の下枠構造を提供することである。
　　　【０００６】
　【課題を解決するための手段】
　本発明は、
浴室
更衣室
浴室
更衣室間
複数枚の
　前記下枠は、下枠本体と、この下枠本体に着脱自在に連結される少なくとも１つの下枠補助部材とを有し、
　
各障子の下部には、下戸車と、下戸車よりも浴室側で下戸車よりも下方に立下がる立下がり部とがそれぞれ設けられ、
　
各立下がり部は、下枠補助部材にそれぞれ嵌まり込んで案内され、
　
下枠補助部材には、その下枠補助部材の最上面が、前記一平面に沿って形成され、
　
この最上面が、下戸車を案内して支持する案内レールとなっており、
　
案内レールよりも更衣室側に、
、
　
滑り防止部材は、可擁撓性および弾発性を有し、
　
前記粗面は、前記開閉方向に沿って延びる複数の凸部および前記凸部間に形成される複数の凹溝が、前記開閉方向と垂直な方向に交互に設けられて、形成され、
　
前記下枠本体は、上部が前記一平面よりも下方に設けられる基部と、この基部の更衣室寄りの一側部から上方に屈曲して連なり、最上面が前記一平面とほぼ同一平面を形成する立上がり部とを有し、
　
前記下枠補助部材は、
　
前記下枠本体の基部の上部に前記浴室側で装着される下フランジと、この下フランジにほぼ直角に連なり、水抜き孔が形成されるウェブと、このウェブにほぼ直角に連なり、前記最上面を形成する上フランジとを有し、
　
下枠補助部材が、更衣室側から浴室側に配置され、
　
下フランジには、更衣室側に延びる第１係合片が形成され、
　
基部には、浴室側から第１係合片が基部の上部との間で嵌まり込む第２係合片が形成され、
　
各障子の立下がり部は、
　
下枠補助部材に嵌まり込むだけでなく、さらに、
　
前記立上がり部と最も更衣室側の下枠補助部材との間に、嵌まり込んで案内され、
　
前記立上がり部の最上面にも、下戸車を案内して支持する案内レールが形成される
　また本発明は、前記下枠本体の立上がり部の
前記最上面の案内レールよりも更衣室側にも、前記一平面に沿って、前記障子の開閉方向に延びるもう１つの滑り防止部材が粗面を上方に臨ませて取付けられている
　　　【０００７】
　【作用】
　本発明に従えば、たとえば浴室などである第１室と、たとえば更衣室などである第２室との間には枠体が設けられ、この枠体には障子が開閉自在に設けられる。第１室から第２室に向かって飛散する水は、枠体および障子によって遮断される。前記下枠は下枠本体に下枠補助部材が着脱自在に連結される。前記下枠の表面は第１室および第２室の各床面を結ぶ一平面とほぼ同一平面を形成している。これによって、身体障害者や老人などが通過する際に、つまづきなどを生じることを防ぎ、円滑かつ安全に通過することが可能である。また、前記下枠補助部材には、前記一平面に沿って、前記障子の開閉方向に沿って延びる粗面状の滑り防止部材が上方に臨んで取付けられる。これによって、第１室と第２室との出入りの際に、足を滑らせることを防止することができ、かつ滑り防止部材が、前記一平面上に取付けられることによって、滑り防止部材に足を引掛けることを防止することができる。
　　　【０００８】
　また本発明に従えば、下枠本体には第１室および第２室の各床面を結ぶ一平面よりも下方に設けられる基部と、この基部の第２室寄りの一側部から上方に屈曲して連なる立上がり部とが形成される。立上がり部の最上面は前記一平面とほぼ同一平面を成す。前記下枠補助部材は、下フランジとウエブと上フランジとを有し、前記下フランジは下枠本体の基部に連結される。各上フランジの最上面は前記一平面とほぼ同一平面を成し、したがって下枠の上方の表面は全体として第１室および第２室の各床面に沿って前記平担状に形成される。したがって、障子の枚数が多数枚であっても、その数に応じて下枠本体の基部を幅方向に長くし、かつ障子の数だけ同一形状の下枠補助部材を設ければよいので、下枠本体だけを障子の枚数に応じた形状のものを製造すればよい。これによって障子の枚数の増加に伴う構成の複雑化および部品点数の増加を少なくすることができる。しかも各障子の取付けおよび取外し作業を、第１室側から下枠補助部材を順次的に取付けまたは取外すことによって障子毎に個別に行うことができるので、障子を支えておくために複数の作業者を必要とすることなく、容易に作業を行うことができる。
　　　【０００９】
　　　【００１０】
　さらに本発明に従えば、滑り防止部材は、下枠本体の立上がり部および下枠補助部材における案内レールの片側に設けられているので、引戸を開閉する際にこの滑り防止部材が引戸に作用することはない。
　　　【００１１】
　【実施例】
　図１は、本発明の
前提となる
　　　【００１２】
　浴室４側には、繊維強化プラスチック（略称ＦＲＰ）から成る防水パン９が敷設され、この防水パン９上には金属またはプラスチックから成る簀子１０が載置される。前記防止パン９の周縁部９ａは、下枠３の下方を超えて更衣室５側に立上がって延び、浴室４から更衣室５に向けて飛散する水を浴室４側に導くように、更衣室５から浴室４寄りになるにつれて下方となる排水勾配を有する。
　　　【００１３】
　また更衣室５側には、合板などによって実現される床板１１が設けられ、この床板１１の床面としての上面１３と前記簀子１０の床面としての上面１４とはほぼ一平面を成す。この一平面から下方に、前記下枠３が設けられる。
　　　【００１４】
　前記下枠３は、中空で略Ｌ字状の下枠本体１５と、この下枠本体１５に着脱自在に連結される複数（本実施例では２）の下枠補助部材１６ａ，１６ｂとを有する。下枠本体１５は、前記一平面よりも下方に設けられる基部１８と、基部１８の更衣室５寄りの一側部から上方に屈曲して連なり、最も更衣室５寄りに配置される障子７ｃを支持する最上面としての第１の支持面１９が前記一平面とほぼ同一平面を成して形成される立上がり部２０とを有する。
　　　【００１５】
　各下枠補助部材１６ａ，１６ｂは、下枠本体１５の基部１８に浴室４側で連結される下フランジ２１ａ，２１ｂと、下フランジ２１ａ，２１ｂにほぼ直角に連なり水抜き孔２３ａ，２３ｂが形成されるウエブ２４ａ，２４ｂと、ウエブ２４ａ，２４ｂに直角に連なり前記３枚の障子７ａ，７ｂ，７ｃのうち最も更衣室５寄りに配置される障子７ｃを除く残余の障子７ａ，７ｂを支持する最上面である第２の支持面２５ａ，２５ｂが前記一平面とほぼ同一平面を成して形成される上フランジ２６ａ，２６ｂとを有し、大略的にＩ字状に形成される。
　　　【００１６】
　各下フランジ２１ａ，２１ｂは、下枠本体１５の基部１８に着脱自在に連結するために、皿小ねじ２７ａ，２７ｂとナット２８，２８ｂとが用いられる。
　　　【００１７】
　下フランジ２１ａ，２１ｂには、その下面から立下がって更衣室５側に屈曲した略Ｌ字状の２本の第１係合片２９ａ，２９ｂと、下フランジ２１ａ，２１ｂの最も浴室４側の一側部付近の壁に形成される突起３０ａ，３０ｂとが一体的に形成される。また前記下枠本体１５の基部１８には、各第１係合片２９ａ，２９ｂが嵌まり込む各２本の略Ｌ字状の第２係合片３１ａ，３１ｂと、基部１８の最も浴室４寄りの一側部に設けられ、一方の突起３０ａを係止する略Ｌ字状の第３係合片３３とが一体的に形成される。
　　　【００１８】
　これらの下枠補助部材１６ａ，１６ｂを下枠本体１５へ取付けるにあたっては、更衣室５寄りの下枠補助部材１６ｂの第１係合片２９ｂを下枠本体１５の係合片３１ｂに係合させた後、突起３０ｂを更衣室５側の第２係合片３１ｂに嵌め込み、皿小ねじ２７ｂとナット２８ｂとによって固定する。その後、浴室４寄りの下枠補助部材１６ａの第１係合片２９ａを下枠本体１５の第２係合片３１ａに係合させ、第３係合片３３に突起３０ａを嵌め込み、皿小ねじ２７ａをナット２８ａに螺合して固定する。
　　　【００１９】
　このようにして複数の下枠補助部材１６ａ，１６ｂを更衣室５側から浴室４側に順次的に取付けることができるので、下枠補助部材１６ａ，１６ｂに対応して各障子７ａ，７ｂを個別的に建込むことができ、これによって同時に２以上の障子を作業者が支えておく必要がなくなり、１人の作業者によって連動引戸１の組立作業を行うことが可能となる。また各下枠補助部材１６ａ，１６ｂは同一形状であるので、下枠本体１５は、障子の枚数に応じて幅（図１の左右方向）の異なる複数の種類、すなわち図１に示される３枚の他に４枚用、５枚用…が必要であるけれども、下枠補助部材の金型は１種類でよく、必要に応じて障子の枚数に応じた長さに切断すればよい。
　　　【００２０】
　次に各障子７ａ〜７ｃの開閉動作を円滑に案内するための構成について説明する。各障子７ａ〜７ｃの各下部の浴室４側の内壁は、各下戸車８ａ，８ｂ，８ｃよりもさらに下方、すなわち前記一平面よりも下方に立下がる立下がり部としてのスカート部分３４ａ，３４ｂ，３４ｃを有し、各スカート部分３４ａ〜３４ｃの更衣室５側には、案内係止片３５ａ，３５ｂ，３５ｃがそれぞれ設けられる。各案内係止片３５ａ〜３５ｃは、各障子７ａ，７ｂのスカート部分３４ａ〜３４ｃに連なる各内壁の内側にビスなどによって上下に変位自在に取付けられる略Ｌ字状のブラケット３６ａ，３６ｂ，３６ｃによって支持される。
　　　【００２１】
　下枠本体１５の立上がり部２０には、前記案内係止片３５ｃが嵌まり込んで案内される案内溝３７ｃを構成する逆Ｌ字状の案内レール３８ｃとを含み、案内レール３８ｃの更衣室５側には、床板１１の上面１３上に乗載され、ビス３９によって固定される上方に開口した大略的にＣ字状の支持部４０が一体的に形成される。このような支持部４０は床板１１の上面１３よりも上方にわずかに突出しているため、老人あるいは身体障害者が通過する際に、つまずき易く、そのため支持部４０にはアルミニウム製のカバー体４１が嵌着される。
　　　【００２２】
　また各下枠補助部材１６ａ，１６ｂの上フランジ２６ａ，２６ｂは、前記案内レール３８ｃと同様な案内レール３８ａ，３８ｂと、各案内レール３８ａ，３８ｂとは反対側、すなわち更衣室５側に延び、先端部に障子７ｂ，７ｃのスカート部分３４ｂ，３４ｃに摺接するパッキン４３ａ，４３ｂが嵌着されるカバー部４４ａ，４４ｂとを有する。前記支持面２５ａ，２５ｂは、これらの案内レール３８ａ，３８ｂおよびカバー部４４ａ，４４ｂにわたって形成されている。各案内レール３８ｂ，３８ｃと各パッキン４３ａ，４３ｂとの隙間Ｌ１，Ｌ２は第１および第２支持面１９，２５ａ，２５ｂの幅Ｌ３，Ｌ４，Ｌ５よりも小さく選ばれており、これによって通過時に間隔Ｌ１，Ｌ２内へ部分的に嵌まり込んだり車椅子で通過したときに、大きな振動を生じることを防ぐことができる。
　　　【００２３】
　また前記スカート部分３４ａ〜３４ｃを設けることによって、浴室４から更衣室５に向けて飛散した水が、このスカート部３４ａ〜３４ｃによって下方に案内され、前記一平面よりも下方に導かれる。これによって前記飛散した水が　　となり浸入することを防止し、下枠３の上面１９，２５ａ，２５ｂおよび更衣室５の床面としての上面１３に水が溜まることを防止することができ、滑りやすくなることを防止することができる。またこのように飛散した水を案内するスカート部分３４ａ〜３４ｃが、障子７ａ〜７ｂに設けられることによって、前記一平面から上方に突出する部分、すなわち浴室４と更衣室５との出入りの際の障害物をなくすことができ、足を引掛けたりすることを防止することができる。
　　　【００２４】
　図２は連動引戸１の全体の構成を示す鉛直断面図であり、図３は連動引戸１の水平断面図であり、図４は連動引戸１を
更衣室５
　　　【００２５】
　各障子７ａ，７ｂ，７ｃの召合わせ部分、すなわち各障子７ａ，７ｂ，７ｃを閉じた状態で浴室４および更衣室５間の方向（図２および図３の左右方向）に重なる各一方の竪框４８ａ，４８ｂ，４９ｂ，４９ｃの各対向部分には、ゴムなどの可撓性および弾発性を有する材料から成る当接片５７ａ，５７ｂ１，５７ｂ２，５７ｃがそれぞれ設けられる。また最も浴室４寄りに配置される障子７ａおよび最も更衣室５寄りに配置される障子７ｃの各竪框４９ａ，４８ｃには、前述した実開平３−９０７８６および実開平３−９０７７８に示されるような引手５８，５９，６０，６１がそれぞれ設けられる。このように内障子に相当する障子７ａおよび外障子に相当する７ｃの両方に引手５８〜６１を設けるようにしたので、たとえば更衣室５から浴室４に入る場合には、図５（１）の閉じた状態から左手によって引手５９を矢符Ｂ１方向に引いて、障子７ａ，７ｂを図５（２）に示されるように開くことができる。また浴室４から更衣室５へ出るときには、同様に左手によって引手６１を把持し、矢符Ｂ２方向に引くことによって図５（３）に示されるように開くことができる。さらに図５（４）に示されるように、障子７ｂ，７ｃが開かれた状態から更衣室５側から閉じる際には、引手６０を把持して矢符Ｂ１方向へ移動させればよく、浴室４および更衣室５のいずれからでも左右を問わず開閉操作することができる。このとき、前述したように各障子７ａ，７ｂ，７ｃの上戸車５６ａ，５６ｂ，５６ｃは上枠４７に弾発的に当接しているので、開閉時に「ガタガタ」などと音を発生しながら振動するいわゆる踊りと呼ばれる現象が生じることを防ぐことができ、円滑に開閉動作を行うことが可能となる。
　　　【００２６】
　本発明の他の
前提となる構成
　　　【００２７】
　図７は本発明の他の実施例の連動引戸１０１の下枠１０３付近を拡大して示す鉛直断面図である。連動引戸１０１は、連動引戸１と類似しており同様の構成を有する部分には、同一の参照符を付して説明は省略する。たとえば病院および養護施設において、室外１０４と室内１０５とは、連動引戸１０１によって仕切られる。この連動引戸１０１は、アルミニウム製の形材から成る枠体６と、枠体６内に開閉自在に嵌まり込む３枚の障子７ａ，７ｂ，７ｃとを有する。各障子７ａ，７ｂ，７ｃは、各下端部から下方に部分的に突出する各一対の下戸車８ａ，８ｂ，８ｃをそれぞれ備え、最も室外１０４側に配置される障子７ａまたは最も室内１０５側に配置される障子７ｃを移動させることによって、中間の障子７ｂが追従して同一方向に移動し、図７の紙面に垂直な方向に開閉することができるように構成される。また連動引戸１０１の室外１０４側には、グレーチング１１０が設けられる。
　　　【００２８】
　室外１０４側には、繊維強化プラスチック（略称ＦＲＰ）から成る防水パン１０９が敷設される。この防水パン１０９には、室外１０４側に排水溝１５６が設けられる。この防水パン１０９の排水溝１５６には、その室外１０４側に、水平に設けられる載置段１０９ｂが形成される。この載置段１０９ｂと室外側を載置するようにして、排水溝１５６上に金属またはプラスチックから成るグレーチング１１０が載置される。前記防水パン１０９の周縁部１０９ａは、下枠１０３の下方を越えて室内１０５側に立上がって延び、室外１０４から室内１０５に向けて飛散する雨水などの水を室外１０４側に導くように
室内
　　　【００２９】
　また室内１０５側には、合板などによって実現される床板１１が設けられる。この床板１１の床面としての上面１３は、前記グレーチング１１０の上面１１４とはほぼ一平両を成す。この一平面から下方に前記下枠３が設けられる。
　　　【００３０】
　前記下枠３は、中空で略Ｌ字状の下枠本体１１５と、この下枠本体１１５に着脱自在に連結される複数（本実施例では２）の第１下枠補助部材１１６ａ，１１６ｂと、第１下枠補助部材１１６ａ，１１６ｂを固定する第２下枠補助部材１５１とを有する。下枠本体１１５は、前記一平面よりも下方に設けられる基部１１８と、基部１１８の
室内
室内
　　　【００３１】
　各第１下枠補助部材１１６ａ，１１６ｂは、下枠本体１１５の基部１１８に室外１０４側で連結され、第５排水孔１５０ａ，１５０ｂが形成される下フランジ１２１ａ，１２１ｂと、下フランジ１２１ａ，１２１ｂにほぼ直角に連なり水抜き孔１２３ａ，１２３ｂが形成されるウエブ１２４ａ，１２４ｂと、ウエブ１２４ａ，１２４ｂに直角に連なり前記３枚の障子７ａ，７ｂ，７ｃのうち最も室内１０５寄りに配置される障子７ｃを除く残余の障子７ａ，７ｂを支持する最上面である第２の支持面１２５ａ，１２５ｂが前記一平面とほぼ同一平面を成して形成される上フランジ１２６ａ，１２６ｂとを有し、大略的にＩ字状に形成される。
　　　【００３２】
　下フランジ１２１ａ，１２１ｂには、その下面から立下がって室内１０５側に屈曲した略Ｌ字状の２本の第１係合片１２９ａ，１２９ｂが一体的に形成される。また前記下枠本体１１５の基部１１８には、各第１係合片１２９ａ，１２９ｂが嵌まり込む各２本の略Ｌ字状の第２係合片１３１ａ，１３１ｂが一体的に形成される。前記第５排水孔１５０ａ，１５０ｂは、第１または第２排水孔１１８ａ，１１８ｂと連通する。これによって、雨水などの水を下方に導き、排水溝１５６に排水することができる。前記第２下枠補助部材１５１は、室外１０４側へ延びる支持部１５７と、支持部１５７から垂直に立上がり、その上面１５８が前記一平面と同一平面上に形成される第２立上がり部１５９とを有し、大略的に逆Ｌ字状に形成される。前記第２立上がり部１５９には、第１下枠補助部材１１６ａ，１１６ｂと同様の水抜き孔１５０が形成され、たとえば雨水など室外１０４側から室内１０５側へ飛散した水を室外
１０４
　　　【００３３】
　前記第１下枠補助部材１１６ａ，１１６ｂを下枠本体１１５へ取付けるにあたっては、まず第１下枠補助部材１１６ａ，１１６ｂの各第１係合片１２９ａ，１２９ｂを下枠本体１１５の各第２係合片１３１ａ，１３１ｂに係合する。その後、第２下枠補助部材１５１を第１下枠補助部材１１６ａに当接させた状態で、第２下枠補助部材１５１がその支持部１５７において、ボルト１６１およびナット１６２によって、下枠本体１１５に固定される。これによって、第１下枠補助部材１１６ａ，１１６ｂの室外１０４への移動が阻止され、第１下枠補助部材１１６ａ，１１６ｂが固定される。すなわち前記ボルト１６１およびナット１６２を用いることによって、第２下枠補助部材１５１のみならず、第１下枠補助部材１１６ａ，１１６ｂを下枠本体１１５に着脱自在に連結することができる。
　　　【００３４】
　このようにして複数の第１下枠補助部材１１６ａ，１１６ｂの室内１０５側から室外１０４側へ順次的に取付け、最後に第２下枠補助部材１５１によって固定することができるので、第１下枠補助部材１１６ａ，１１６ｂに対応して、各障子７ａ，７ｂを個別的に建込むことができ、これによって同時に２以上の障子を作業者が支えておく必要がなくなり、１人の作業者によって連動引戸１０１の組立作業を行うことが可能となる。また第１下枠補助部材１１６ａ，１１６ｂは同一形状であるので、下枠本体１１５は障子の枚数に応じて幅（図７の左右方向）の異なる複数の種類、すなわち図７に示される３枚用の他に４枚用、５枚用、…が必要であるけれども、第１下枠補助部材の金型は１種類でよく、必要に応じて障子の枚数に応じた長さに切断すればよい。
　　　【００３５】
　また第２下枠補助部材１５１のみをボルト１６１およびナット１６２によって固定することによって、第１下枠補助部材１１６ａ，１１６ｂをも固定することができるので、組立作業の容易化、簡略化を図ることができる。すなわち作業性が向上される。
　　　【００３６】
　前記グレーチング１１０は、連動引戸１０１の開閉方向（図７の紙面に垂直な方向）に延び、前記開閉方向と垂直な方向に間隔Ｌ１０をあけて設けられる複数（本実施例において３）縦部材１７０と前記開閉方向に垂直な方向に延び、前記開閉方向に平行な方向に間隔をあけて設けられる複数の横部材１７１とを有する。前記縦部材１７０は、大略的にＩ字状に形成される。この縦部材１７０は、ほぼ水平に設けられ、その上面１１４が前記一平面と同一平面上に設けられる第２上フランジ１７２と、第２上フランジと平行に設けられる第２下フランジ１７３と、第２上フランジ１７２および第２下フランジ１７３とほぼ直角を成して設けられ、第２上フランジ１７２および第２下フランジ１７３を連結する連結部１７４とを有する。前記横部材１７１は、鉛直な平面上に設けられる板状であり、縦部材１７０の連結部１７４において隣接する縦部材１７０を連結する。
　　　【００３７】
　このようなグレーチング１１０は、室外１０４側（図７の左側）が、前記排水溝１５６の室外１０４側に設けられる前記載置段１０９ｂに載置され、室内１０５側が前記第２下枠補助部材１５１の支持部１５７に載置され、排水溝１５６上に設けられる。これによって、排水溝１５６を上方から覆うことができる。
　　　【００３８】
　また、前記下枠本体の立上がり部１２０の案内レール３８ｃの室内１０５側には第１滑り防止部材１８０ｃが設けられ、各第１下枠補助部材１１６ａ，１１６ｂの上フランジ１２６ａ，１２６ｂの案内レール３８ａ，３８ｂの室内１０５側には、第２滑り防止部材１８０ａ，１８０ｂが設けられ、第２下枠補助部材１５１の立上がり部の上端部には、第３滑り防止部材１８０ｄが設けられる。さらに、グレーチングの第２上フランジ１７２には、第４滑り防止部材１８０ｅ，１８０ｆ，１８０ｇが設けられる。これらの滑り防止部材１８０ａ〜１８０ｇには、上方に向けて突出し、前記開閉方向に沿って延びる複数の凸部１８１および前記凸部１８１間に形成される複数の凹溝１８２が前記開閉方向と垂直な方向に交互に設けられ、各滑り防止部材１８０ａ〜１８０ｇの上方側が凹凸状の粗面に形成される。これらの滑り防止部材１８０ａ〜１８０ｇは、たとえば合成樹脂や合成ゴムなどの可撓性および弾発性を有する材料から成り、その凹凸状に形成される上方側の粗面が、前記一平面よりわずかに上方に突出し、配置されるように取付けられる。すなわち各滑り防止部材１８０ａ〜１８０ｇが取付けられた状態においても、前記上面１３，１１４，１５８、第１の支持面１１９および第２の支持面１２５ａ，１２５ｂが、前記一平面上に存在する。このような滑り防止部材１８０ａ〜１８０ｇによって、室内外の出入りの際に足を滑らせることを防止し、かつ滑り防止部材１８０ａ〜１８０ｇが、前記一平面よりも上方に突出していないように設けられることによって、足をとられ引掛かることを防止することができ、転倒することを防止することができる。
　　　【００３９】
　下枠本体１１５の立上がり部１２０には、前記案内係止片３５ｃが嵌まり込んで案内される案内溝３７ｃを構成する逆Ｌ字状の案内レール３８ｃとを含み、案内レール３８ｃの室内１０５側には、床板１１の上面１３上に乗載され、ビス１３９によって固定される取付部１４０が一体的に形成される。この取付部１４０は床板１１の上面１３よりも上方に僅かに突出しているため、室内外の出入りの際に、つまずきやすい。そのため、取付部１４０の室内側（図７の右側）には、床面に向けてなだらかに傾斜する傾斜部１４０ａが設けられる。
　　　【００４０】
　上述の実施例では、３枚の障子７ａ，７ｂ，７ｃによって構成される連動引戸ついて説明したけれども、本発明の他の実施例として、３以上、たとえば４枚あるいは５枚以上の障子に関しても、好適に実施することができる。
　　　【００４１】
　また上述の実施例では、連動引戸１によって浴室４と更衣室５とを仕切るようにしたけれども、本発明の他の実施例として、第１室から第２室へ向けて水が飛散するような環境、たとえばベランダと室内とを遮断するためにも本発明を有利に実施することができる。
　　　【００４２】
　本発明によれば、たとえば浴室などである第１室と、たとえば更衣室などである第２室との間には枠体が設けられ、この枠体には障子が開閉自在に設けられる。第１室から第２室に向かって飛散する水は、枠体および障子によって遮断される。前記下枠は下枠本体に下枠補助部材が着脱自在に連結される。前記下枠の表面は第１室および第２室の各床面を結ぶ一平面とほぼ同一平面を形成している。これによって、身体障害者や老人などが通過する際に、つまづきなどを生じることを防ぎ、円滑かつ安全に通過することが可能である。また、前記下枠補助部材には、前記一平面に沿って、前記障子の開閉方向に沿って延びる粗面状の滑り防止部材が上方に臨んで取付けられる。これによって、第１室と第２室との出入りの際に、足を滑らせることを防止することができ、かつ滑り防止部材が、前記一平面上に取付けられることによって、滑り防止部材に足を引掛けることを防止することができる。
　　　【００４３】
　また本発明によれば、下枠本体には第１室および第２室の各床面を結ぶ一平面よりも下方に設けられる基部と、この基部の第２室寄りの一側部から上方に屈曲して連なる立上がり部とが形成される。立上がり部の最上面は前記一平面とほぼ同一平面を成す。前記下枠補助部材は、下フランジとウエブと上フランジとを有し、前記下フランジは下枠本体の基部に連結される。各上フランジの最上面は前記一平面とほぼ同一平面を成し、したがって下枠の上方の表面は全体として第１室および第２室の各床面に沿って前記平担状に形成される。したがって、障子の枚数が多数枚であっても、その数に応じて下枠本体の基部を幅方向に長くし、かつ障子の数だけ同一形状の下枠補助部材を設ければよいので、下枠本体だけを障子の枚数に応じた形状のものを製造すればよい。これによって障子の枚数の増加に伴う構成の複雑化および部品点数の増加を少なくすることができる。しかも各障子の取付けおよび取外し作業を、第１室側から下枠補助部材を順次的に取付けまたは取外すことによって障子毎に個別に行うことができるので、障子を支えておくために複数の作業者を必要とすることなく、容易に作業を行うことができる。
　　　【００４４】
　さらに本発明に従えば、滑り防止部材は、下枠本体の立上がり部および下枠補助部材における案内レールの片側に設けられているので、引戸を開閉する際にこの滑り防止部材が引戸に作用することはない。
【図面の簡単な説明】
　【図１】
本発明の
前提となる
　【図２】
連動引戸１の全体の構成を示す鉛直断面図である。
　【図３】
連動引戸１の水平断面図である。
　【図４】
連動引戸１を浴室４側から見た正面図である。
　【図５】
連動引戸１の各障子７ａ，７ｂ，７ｃの開閉動作を説明するための図である。
　【図６】
本発明の他の前提となる下枠３ａ付近を拡大して示す鉛直断面図である。
　【図７】
本発明の一実施例の下枠１０３付近を拡大して示す鉛直断面図である。
　【符号の説明】
１，１０１　連動引戸
３，３ａ，１０３　下枠
４　浴室
５　更衣室
６　枠体
７ａ，７ｂ，７ｃ　障子
８ａ，８ｂ，８ｃ　下戸車
１０　簀子
１１　床板
１３，１４　上面
１５，１１５　下枠本体
１６ａ，１６ｂ　下枠補助部材
１８，１１８　基部
１９　第１の支持面
２０，１２０　立上がり部
２５ａ，２５ｂ　第２の支持面
５６ａ，５６ｂ，５６ｃ　上戸車
５８〜６１　引手
１０４　室外
１０５　室内
１１０　グレーチング
１１６ａ，１１６ｂ　第１下枠補助部材
１５１　第２下枠補助部材